(57)【要約】【課題】  サーバのプール化とセキュリティ対策強化を図ることが可能なシンクライアント用サーバシステム、サーバ、管理サーバ及びシンクライアントの提供。【解決手段】  シンクライアント用サーバシステムＳは、サーバＳＶＡ，ＳＶＢ，ＳＶＣとファイアウォールＦＷと管理サーバＳＶとシンクライアントＴＣから構成される。サーバＳＶＡ，ＳＶＢ，ＳＶＣと管理サーバＳＶとシンクライアントＴＣとをインターネットＩＮを介して接続する。シンクライアントＴＣとサービスセンタ側サーバとの接続が、シンクライアントＴＣから管理サーバＳＶに複数のサービスセンタ側サーバＳＶＡ，ＳＶＢ，ＳＶＣのいずれかへの接続依頼と入力情報の送信を行い、管理サーバＳＶが選択したサービスセンタ側サーバからシンクライアントＴＣにアクセスすることにより行われる。【選択図】      図１
2006209609.tif 000002
【特許請求の範囲】
【請求項１】
複数のサービスセンタ側サーバと、ファイアウォールと、管理サーバと、シンクライアントとから構成され、前記複数のサービスセンタ側サーバが前記ファイアウォールの内側に配置され、前記管理サーバ及び前記シンクライアントが前記ファイアウォールの外側に配置され、前記複数のサービスセンタ側サーバと前記管理サーバと前記シンクライアントとをネットワークを介して接続してデータを送受するシンクライアント用サーバシステムであって、
前記複数のサービスセンタ側サーバは、振り分け基準となる自身の負荷情報を前記管理サーバに通知する手段と、前記管理サーバから入力情報を送信された時に自己サーバを前記シンクライアントに接続する手段とを備えており、前記管理サーバは、通知された前記複数のサービスセンタ側サーバの負荷情報からサーバ負荷のリストを作成する手段と、作成した前記サーバ負荷のリストを参照して、前記サーバ負荷のリストから前記シンクライアントに接続するためのサービスセンタ側サーバを選択する手段と、選択したサービスセンタ側サーバに前記シンクライアントの入力情報を送信する手段とを備えており、前記シンクライアントは、前記管理サーバに前記複数のサービスセンタ側サーバのいずれかへの接続依頼と入力情報の送信を行う手段を備えており、前記シンクライアントと前記サービスセンタ側サーバとの接続は、前記シンクライアントから前記管理サーバに前記複数のサービスセンタ側サーバのいずれかへの接続依頼と入力情報の送信を行い、前記管理サーバが選択したサービスセンタ側サーバから前記シンクライアントにアクセスすることにより行われることを特徴とするシンクライアント用サーバシステム。
【請求項２】
上記複数のサービスセンタ側サーバは、上記シンクライアントのセキュリティ情報を上記管理サーバに送信する手段を備えており、前記管理サーバは、前記複数のサービスセンタ側サーバから送信されたセキュリティ情報を登録する手段と、前記シンクライアントの入力情報と前記セキュリティ情報とによりセキュリティをチェックする手段とを備えている請求項１に記載のシンクライアント用サーバシステム。
【請求項３】
複数のサービスセンタ側サーバと、ファイアウォールと、管理サーバと、シンクライアントとから構成され、前記複数のサービスセンタ側サーバが前記ファイアウォールの内側に配置され、前記管理サーバ及び前記シンクライアントが前記ファイアウォールの外側に配置され、前記複数のサービスセンタ側サーバと前記管理サーバと前記シンクライアントとをネットワークを介して接続してデータを送受するシンクライアント用サーバシステムであって、
前記複数のサービスセンタ側サーバは、振り分け基準となる自身の負荷情報を前記管理サーバに通知する手段と、前記シンクライアントからの入力情報がないかを前記管理サーバに問い合わせる手段と、前記管理サーバからの応答を受けた時に自己サーバを前記シンクライアントに接続する手段とを備えており、前記管理サーバは、通知された前記複数のサービスセンタ側サーバの負荷情報からサーバ負荷のリストを作成する手段と、作成した前記サーバ負荷のリストを参照して、前記サーバ負荷のリストから前記シンクライアントに接続するためのサービスセンタ側サーバを選択する手段と、選択したサービスセンタ側サーバから問い合わせが来た時、前記シンクライアントからの入力情報が有ることを選択したサービスセンタ側サーバに応答する手段とを備えており、前記シンクライアントは、前記管理サーバに前記複数のサービスセンタ側サーバのいずれかへの接続依頼と入力情報の送信を行う手段を備えており、前記シンクライアントと前記サービスセンタ側サーバとの接続は、前記シンクライアントから前記管理サーバに前記複数のサービスセンタ側サーバのいずれかへの接続依頼と入力情報の送信を行い、前記管理サーバが選択したサービスセンタ側サーバから前記シンクライアントにアクセスすることにより行われることを特徴とするシンクライアント用サーバシステム。
【請求項４】
管理サーバ及びシンクライアントとネットワークを介して接続されてデータを送受する手段と、振り分け基準となる自身の負荷情報を前記管理サーバに通知する手段と、前記管理サーバから入力情報を送信された時に自己サーバを前記シンクライアントに接続する手段と、前記シンクライアントのセキュリティ情報を前記管理サーバに送信する手段とを備えたことを特徴とするサーバ。
【請求項５】
管理サーバ及びシンクライアントとネットワークを介して接続されてデータを送受する手段と、振り分け基準となる自身の負荷情報を前記管理サーバに通知する手段と、前記シンクライアントからの入力情報がないかを前記管理サーバに問い合わせる手段と、前記管理サーバからの応答を受けた時に自己サーバを前記シンクライアントに接続する手段とを備えたことを特徴とするサーバ。
【請求項６】
複数のサービスセンタ側サーバ及びシンクライアントとネットワークを介して接続されてデータを送受する手段と、前記複数のサービスセンタ側サーバが通知する負荷情報からサーバ負荷のリストを作成する手段と、作成した前記サーバ負荷のリストを参照して、前記サーバ負荷のリストから前記シンクライアントに接続するためのサービスセンタ側サーバを選択する手段と、選択したサービスセンタ側サーバに前記シンクライアントの入力情報を送信する手段と、前記複数のサービスセンタ側サーバから送信されたセキュリティ情報を登録する手段と、前記シンクライアントの入力情報と前記セキュリティ情報とによりセキュリティをチェックする手段とを備えたことを特徴とする管理サーバ。
【請求項７】
複数のサービスセンタ側サーバ及び管理サーバとネットワークを介して接続されてデータを送受する手段と、前記管理サーバに前記複数のサービスセンタ側サーバのいずれかへの接続依頼と入力情報の送信を行う手段とを備えたことを特徴とするシンクライアント。
【発明の詳細な説明】
【技術分野】
【０００１】
本発明は、サービスセンタ側サーバのプール化とセキュリティ対策強化を目的としたシンクライアント用サーバシステム、サーバ、管理サーバ及びシンクライアントに関するものである。
【背景技術】
【０００２】
従来のシンクライアント用サーバシステムは、シンクライアントと、ファイアウォールと、サービスセンタ側に配置されたサービスセンタ側サーバとから構成されており、シンクライアントとサービスセンタ側サーバとをインターネットを介して接続していた。
【発明の開示】
【発明が解決しようとする課題】
【０００３】
しかし、従来のシンクライアント用サーバシステムでは、シンクライアントからインターネットを経由してサービスセンタ側に配置されたサービスセンタ側サーバを利用する場合、サービスセンタ側に複数のサービスセンタ側サーバを準備していても、シンクライアントからサービスセンタ側サーバへの接続要求に対する接続先の最適な割り当てが行われないと、サービスセンタ側サーバの処理能力を十分に利用できない。
【０００４】
また、シンクライアントとサービスセンタ側サーバとの間に配置したファイアウォール（ＦＷ；Ｆｉｒｅ  Ｗａｌｌ）に、シンクライアントを指定しないである特定ポートだけを開けるが、こうするとどのシンクライアントからでも入り込めることになり、サービスセンタ側サーバへの不正アクセスの危険性が高くなってしまう。
【０００５】
そこで、本発明の目的は、上記の事情に鑑みてなされたものであって、管理サーバに作成されるサーバ負荷のリストを用いることで、複数のサービスセンタ側サーバの負荷分散を行うので、複数のサービスセンタ側サーバの処理能力を十分に利用することができ、シンクライアントからサービスセンタ側サーバを利用する場合、ファイアウォールに管理サーバからの接続のみを許可するように設定することにより、サービスセンタ側サーバへの不正アクセスの危険性が高くならず、管理サーバでセキュリティのチェックを行うこともでき、サービスセンタ側サーバのプール化とセキュリティ対策強化を図ることが可能なシンクライアント用サーバシステム、サーバ、管理サーバ及びシンクライアントを提供することにある。
【課題を解決するための手段】
【０００６】
本発明のシンクライアント用サーバシステムは、複数のサービスセンタ側サーバと、ファイアウォールと、管理サーバと、シンクライアントとから構成され、前記複数のサービスセンタ側サーバが前記ファイアウォールの内側に配置され、前記管理サーバ及び前記シンクライアントが前記ファイアウォールの外側に配置され、前記複数のサービスセンタ側サーバと前記管理サーバと前記シンクライアントとをネットワークを介して接続してデータを送受するシンクライアント用サーバシステムであって、前記複数のサービスセンタ側サーバが、振り分け基準となる自身の負荷情報を前記管理サーバに通知する手段と、前記管理サーバから入力情報を送信された時に自己サーバを前記シンクライアントに接続する手段とを備えており、前記管理サーバが、通知された前記複数のサービスセンタ側サーバの負荷情報からサーバ負荷のリストを作成する手段と、作成した前記サーバ負荷のリストを参照して、前記サーバ負荷のリストから前記シンクライアントに接続するためのサービスセンタ側サーバを選択する手段と、選択したサービスセンタ側サーバに前記シンクライアントの入力情報を送信する手段とを備えており、前記シンクライアントが、前記管理サーバに前記複数のサービスセンタ側サーバのいずれかへの接続依頼と入力情報の送信を行う手段を備えており、前記シンクライアントと前記サービスセンタ側サーバとの接続が、前記シンクライアントから前記管理サーバに前記複数のサービスセンタ側サーバのいずれかへの接続依頼と入力情報の送信を行い、前記管理サーバが選択したサービスセンタ側サーバから前記シンクライアントにアクセスすることにより行われることを特徴とする構成を有するものである。
【０００７】
本発明のシンクライアント用サーバシステムは、上記複数のサービスセンタ側サーバが、上記シンクライアントのセキュリティ情報を上記管理サーバに送信する手段を備えており、前記管理サーバが、前記複数のサービスセンタ側サーバから送信されたセキュリティ情報を登録する手段と、前記シンクライアントの入力情報と前記セキュリティ情報とによりセキュリティをチェックする手段とを備えている。
【０００８】
本発明のシンクライアント用サーバシステムは、複数のサービスセンタ側サーバと、ファイアウォールと、管理サーバと、シンクライアントとから構成され、前記複数のサービスセンタ側サーバが前記ファイアウォールの内側に配置され、前記管理サーバ及び前記シンクライアントが前記ファイアウォールの外側に配置され、前記複数のサービスセンタ側サーバと前記管理サーバと前記シンクライアントとをネットワークを介して接続してデータを送受するシンクライアント用サーバシステムであって、前記複数のサービスセンタ側サーバが、振り分け基準となる自身の負荷情報を前記管理サーバに通知する手段と、前記シンクライアントからの入力情報がないかを前記管理サーバに問い合わせる手段と、前記管理サーバからの応答を受けた時に自己サーバを前記シンクライアントに接続する手段とを備えており、前記管理サーバが、通知された前記複数のサービスセンタ側サーバの負荷情報からサーバ負荷のリストを作成する手段と、作成した前記サーバ負荷のリストを参照して、前記サーバ負荷のリストから前記シンクライアントに接続するためのサービスセンタ側サーバを選択する手段と、選択したサービスセンタ側サーバから問い合わせが来た時、前記シンクライアントからの入力情報が有ることを選択したサービスセンタ側サーバに応答する手段とを備えており、前記シンクライアントが、前記管理サーバに前記複数のサービスセンタ側サーバのいずれかへの接続依頼と入力情報の送信を行う手段を備えており、前記シンクライアントと前記サービスセンタ側サーバとの接続が、前記シンクライアントから前記管理サーバに前記複数のサービスセンタ側サーバのいずれかへの接続依頼と入力情報の送信を行い、前記管理サーバが選択したサービスセンタ側サーバから前記シンクライアントにアクセスすることにより行われることを特徴とする構成を有するものである。
【０００９】
本発明のサーバは、管理サーバ及びシンクライアントとネットワークを介して接続されてデータを送受する手段と、振り分け基準となる自身の負荷情報を前記管理サーバに通知する手段と、前記管理サーバから入力情報を送信された時に自己サーバを前記シンクライアントに接続する手段と、前記シンクライアントのセキュリティ情報を前記管理サーバに送信する手段とを備えたことを特徴とする構成を有するものである。
【００１０】
本発明のサーバは、管理サーバ及びシンクライアントとネットワークを介して接続されてデータを送受する手段と、振り分け基準となる自身の負荷情報を前記管理サーバに通知する手段と、前記シンクライアントからの入力情報がないかを前記管理サーバに問い合わせる手段と、前記管理サーバからの応答を受けた時に自己サーバを前記シンクライアントに接続する手段とを備えたことを特徴とする構成を有するものである。
【００１１】
本発明の管理サーバは、複数のサービスセンタ側サーバ及びシンクライアントとネットワークを介して接続されてデータを送受する手段と、前記複数のサービスセンタ側サーバが通知する負荷情報からサーバ負荷のリストを作成する手段と、作成した前記サーバ負荷のリストを参照して、前記サーバ負荷のリストから前記シンクライアントに接続するためのサービスセンタ側サーバを選択する手段と、選択したサービスセンタ側サーバに前記シンクライアントの入力情報を送信する手段と、前記複数のサービスセンタ側サーバから送信されたセキュリティ情報を登録する手段と、前記シンクライアントの入力情報と前記セキュリティ情報とによりセキュリティをチェックする手段とを備えたことを特徴とする構成を有するものである。
【００１２】
本発明のシンクライアントは、複数のサービスセンタ側サーバ及び管理サーバとネットワークを介して接続されてデータを送受する手段と、前記管理サーバに前記複数のサービスセンタ側サーバのいずれかへの接続依頼と入力情報の送信を行う手段とを備えたことを特徴とする構成を有するものである。
【発明の効果】
【００１３】
以上に述べたように、本発明によれば、管理サーバに作成されるサーバ負荷のリストを用いることで、複数のサービスセンタ側サーバの負荷分散を行うので、複数のサービスセンタ側サーバの処理能力を十分に利用することができ、シンクライアントからサービスセンタ側サーバを利用する場合、ファイアウォールに管理サーバからの接続のみを許可するように設定することにより、サービスセンタ側サーバへの不正アクセスの危険性が高くならず、管理サーバでセキュリティのチェックを行うこともでき、サービスセンタ側サーバのプール化とセキュリティ対策強化を図ることが可能なシンクライアント用サーバシステム、サーバ、管理サーバ及びシンクライアントを得ることができる。
【発明を実施するための最良の形態】
【００１４】
以下、本発明を実施するための最良の形態を図面を参照して詳細に説明する。
【実施例】
【００１５】
図１は、本発明の第１実施例及び第２実施例に係るシンクライアント用サーバシステムを示す構成図である。
本発明のシンクライアント用サーバシステムＳは、複数のサービスセンタ側サーバＳＶＡ，ＳＶＢ，ＳＶＣと、ファイアウォールＦＷと、管理サーバＳＶと、シンクライアントＴＣとから構成され、複数のサービスセンタ側サーバＳＶＡ，ＳＶＢ，ＳＶＣがファイアウォールＦＷの内側に配置され、管理サーバＳＶ及びシンクライアントＴＣがファイアウォールＦＷの外側に配置され、複数のサービスセンタ側サーバＳＶＡ，ＳＶＢ，ＳＶＣと管理サーバＳＶとシンクライアントＴＣとをネットワークであるインターネットＩＮを介して接続してデータを送受するシステムである。
【００１６】
本発明のシンクライアント用サーバシステムＳは、複数のサービスセンタ側サーバＳＶＡ，ＳＶＢ，ＳＶＣが、振り分け基準となる自身の負荷情報を管理サーバＳＶに通知する手段と、管理サーバＳＶから入力情報を送信された時に自己サーバをシンクライアントＴＣに接続する手段とを備えている。
【００１７】
本発明のシンクライアント用サーバシステムＳは、管理サーバＳＶが、通知された複数のサービスセンタ側サーバＳＶＡ，ＳＶＢ，ＳＶＣの負荷情報からサーバ負荷のリストを作成する手段と、作成したサーバ負荷のリストを参照して、サーバ負荷のリストからシンクライアントＴＣに接続するためのサービスセンタ側サーバを選択する手段と、選択したサービスセンタ側サーバにシンクライアントＴＣの入力情報を送信する手段とを備えている。
【００１８】
本発明のシンクライアント用サーバシステムＳは、シンクライアントＴＣが、管理サーバＳＶに複数のサービスセンタ側サーバＳＶＡ，ＳＶＢ，ＳＶＣのいずれかへの接続依頼と入力情報の送信を行う手段を備えている。
【００１９】
本発明のシンクライアント用サーバシステムＳは、シンクライアントＴＣとサービスセンタ側サーバとの接続が、シンクライアントＴＣから管理サーバＳＶに複数のサービスセンタ側サーバＳＶＡ，ＳＶＢ，ＳＶＣのいずれかへの接続依頼と入力情報の送信を行い、管理サーバＳＶが選択したサービスセンタ側サーバからシンクライアントＴＣにアクセスすることにより行われるようになっている。
【００２０】
本発明のシンクライアント用サーバシステムＳは、複数のサービスセンタ側サーバＳＶＡ，ＳＶＢ，ＳＶＣが、シンクライアントＴＣのセキュリティ情報を管理サーバＳＶに送信する手段を備えており、管理サーバＳＶが、複数のサービスセンタ側サーバＳＶＡ，ＳＶＢ，ＳＶＣから送信されたセキュリティ情報を登録する手段と、シンクライアントＴＣの入力情報とセキュリティ情報とによりセキュリティをチェックする手段とを備えている。
【００２１】
本発明のサーバは、管理サーバＳＶ及びシンクライアントＴＣとインターネットＩＮを介して接続されてデータを送受する手段と、振り分け基準となる自身の負荷情報を管理サーバＳＶに通知する手段と、管理サーバＳＶから入力情報を送信された時に自己サーバをシンクライアントＴＣに接続する手段と、シンクライアントＴＣのセキュリティ情報を管理サーバＳＶに送信する手段とを備えている。
【００２２】
本発明の管理サーバは、複数のサービスセンタ側サーバＳＶＡ，ＳＶＢ，ＳＶＣ及びシンクライアントＴＣとインターネットＩＮを介して接続されてデータを送受する手段と、複数のサービスセンタ側サーバＳＶＡ，ＳＶＢ，ＳＶＣが通知する負荷情報からサーバ負荷のリストを作成する手段と、作成したサーバ負荷のリストを参照して、サーバ負荷のリストからシンクライアントＴＣに接続するためのサービスセンタ側サーバを選択する手段と、選択したサービスセンタ側サーバにシンクライアントＴＣの入力情報を送信する手段と、複数のサービスセンタ側サーバＳＶＡ，ＳＶＢ，ＳＶＣから送信されたセキュリティ情報を登録する手段と、シンクライアントＴＣの入力情報とセキュリティ情報とによりセキュリティをチェックする手段とを備えている。
【００２３】
本発明のシンクライアントは、複数のサービスセンタ側サーバＳＶＡ，ＳＶＢ，ＳＶＣ及び管理サーバＳＶとインターネットＩＮを介して接続されてデータを送受する手段と、管理サーバＳＶに複数のサービスセンタ側サーバＳＶＡ，ＳＶＢ，ＳＶＣのいずれかへの接続依頼と入力情報の送信を行う手段とを備えている。
【００２４】
シンクライアント用サーバシステムＳは、図１に示すように、ＷＷＷ（Ｗｏｒｌｄ  Ｗｉｄｅ  Ｗｅｂ）サーバ等の複数のサービスセンタ側サーバＳＶＡ，ＳＶＢ，ＳＶＣからなるサーバ群１０と、ファイアウォールＦＷと、プロキシサーバ等の管理サーバＳＶと、シンクライアントＴＣとから構成されている。
【００２５】
サーバ群１０の複数のサービスセンタ側サーバＳＶＡ，ＳＶＢ，ＳＶＣと管理サーバＳＶとシンクライアントＴＣとは、インターネットＩＮを介して接続されている。
【００２６】
サーバ群１０の複数のサービスセンタ側サーバＳＶＡ，ＳＶＢ，ＳＶＣと管理サーバＳＶ及びシンクライアントＴＣとの間には、図１に示すように、ファイアウォールＦＷが配置されている。
サーバ群１０の複数のサービスセンタ側サーバＳＶＡ，ＳＶＢ，ＳＶＣとファイアウォールＦＷとは、ＬＡＮ（Ｌｏｃａｌ  Ａｒｅａ  Ｎｅｔｗｏｒｋ）２０でネットワーク接続されている。
【００２７】
シンクライアントＴＣは、データを保存するためのハードディスクを備えていない。
【００２８】
サーバ群１０の複数のサービスセンタ側サーバＳＶＡ，ＳＶＢ，ＳＶＣは、振り分け基準となる自身のＣＰＵ（Ｃｅｎｔｒａｌ  Ｐｒｏｃｅｓｓｉｎｇ  Ｕｎｉｔ；中央処理装置）やメモリ等のリソース（資源）の使用率，使用ユーザ数などの負荷情報を定期的または不定期に管理サーバＳＶに通知する。
【００２９】
管理サーバＳＶは、複数のサービスセンタ側サーバＳＶＡ，ＳＶＢ，ＳＶＣが通知する自身のＣＰＵやメモリ等のリソースの使用率，使用ユーザ数などの負荷情報から負荷を判断し、負荷を割り振るために負荷が小さい順に複数のサービスセンタ側サーバＳＶＡ，ＳＶＢ，ＳＶＣに番号を付与し、サーバ負荷のリストを作成する。
【００３０】
シンクライアントＴＣからファイアウォールＦＷの内側のサービスセンタ側サーバにアクセスする際、シンクライアントＴＣは、まず、ファイアウォールＦＷの外側にある管理サーバＳＶに複数のサービスセンタ側サーバＳＶＡ，ＳＶＢ，ＳＶＣのいずれかへの接続依頼を行う。
シンクライアントＴＣは、これと同時に、キー／マウス入力される入力情報も管理サーバＳＶに送信する。
【００３１】
管理サーバＳＶは、作成したサーバ負荷のリストを参照し、サーバ負荷のリストから負荷が最も小さいサービスセンタ側サーバを選択し、選択された複数のサービスセンタ側サーバＳＶＡ，ＳＶＢ，ＳＶＣの中の負荷が最も小さいサービスセンタ側サーバにシンクライアントＴＣの入力情報を送信する。
【００３２】
複数のサービスセンタ側サーバＳＶＡ，ＳＶＢ，ＳＶＣの中の管理サーバＳＶからシンクライアントＴＣの入力情報を送信されたサービスセンタ側サーバは、ファイアウォールＦＷの内側からシンクライアントＴＣに接続する。
【００３３】
本発明は、複数のサービスセンタ側サーバＳＶＡ，ＳＶＢ，ＳＶＣの負荷情報とシンクライアントＴＣの入力情報を管理する管理サーバＳＶを置くことで、サービスセンタ側サーバのプール化とファイアウォールＦＷの余分なポートを開放しないようになっている。
【００３４】
図２は、本発明の第１実施例に係るシンクライアント用サーバシステムの管理サーバが作成する複数のサービスセンタ側サーバのサーバ負荷のリストの一例を示す説明図である。
管理サーバＳＶは、一例として、図２に示すような、負荷が最小のサービスセンタ側サーバＳＶＣに番号１．を付与し、負荷が２番目に小さいサービスセンタ側サーバＳＶＡに番号２．を付与し、負荷が最大のサービスセンタ側サーバＳＶＣに番号３．を付与したサーバ負荷リスト３０を作成する。
【００３５】
図３は、本発明の第１実施例に係るシンクライアント用サーバシステムにおけるシンクライアントからサービスセンタ側サーバを利用する場合の処理の流れを説明するフローチャート図である。
ステップＳ１００でスタートした処理は、シンクライアントからサービスセンタ側サーバを利用する場合、まず、サーバ群１０の複数のサービスセンタ側サーバＳＶＡ，ＳＶＢ，ＳＶＣからインターネットＩＮを経由して管理サーバＳＶに自身の負荷情報を定期的に通知する（ステップＳ１０１）。
【００３６】
次いで、管理サーバＳＶが通知された複数のサービスセンタ側サーバＳＶＡ，ＳＶＢ，ＳＶＣの負荷情報から負荷を判断し、負荷が小さい順に複数のサービスセンタ側サーバＳＶＡ，ＳＶＢ，ＳＶＣに番号を付与し、サーバ負荷のリストを作成する（ステップＳ１０２）。
【００３７】
その後、シンクライアントＴＣから管理サーバＳＶに複数のサービスセンタ側サーバＳＶＡ，ＳＶＢ，ＳＶＣのいずれかへの接続依頼が有るかを判断する（ステップＳ１０３）。
【００３８】
ここで、シンクライアントＴＣから管理サーバＳＶに複数のサービスセンタ側サーバＳＶＡ，ＳＶＢ，ＳＶＣのいずれかへの接続依頼が有る場合は（ステップＳ１０３“有り”）、シンクライアントＴＣからインターネットＩＮを経由して管理サーバＳＶに入力情報を通知する（ステップＳ１０４）。
【００３９】
次いで、管理サーバＳＶは作成したサーバ負荷のリストを参照し（ステップＳ１０５）、次いで、管理サーバＳＶはサーバ負荷のリストから負荷が最小のサービスセンタ側サーバを選択し（ステップＳ１０６）、次いで、管理サーバＳＶからインターネットＩＮを経由して複数のサービスセンタ側サーバＳＶＡ，ＳＶＢ，ＳＶＣの中の選択された負荷が最小のサービスセンタ側サーバに入力情報を送信する（ステップＳ１０７）。
【００４０】
その後、入力情報を送信されたサービスセンタ側サーバからインターネットＩＮを経由してシンクライアントＴＣに接続される（ステップＳ１０８）。
【００４１】
また、シンクライアントＴＣから管理サーバＳＶに複数のサービスセンタ側サーバＳＶＡ，ＳＶＢ，ＳＶＣのいずれかへの接続依頼が無い場合は（ステップＳ１０３“無し”）、ステップＳ１０１に戻る。
【００４２】
次に、本発明の実施例に係るシンクライアント用サーバシステムにおけるセキュリティ対策について説明する。
本発明のシンクライアント用サーバシステムＳでは、まず、サーバ群１０の複数のサービスセンタ側サーバＳＶＡ，ＳＶＢ，ＳＶＣからインターネットＩＮを経由して管理サーバＳＶにシンクライアントＴＣのセキュリティ情報を送信し、次いで、管理サーバＳＶが複数のサービスセンタ側サーバＳＶＡ，ＳＶＢ，ＳＶＣから送信されたセキュリティ情報を登録し、その後、管理サーバＳＶがシンクライアントＴＣから送信された入力情報と登録されたセキュリティ情報とによりセキュリティのチェックを行う。
【００４３】
次に、本発明の第２実施例に係るシンクライアント用サーバシステムについて説明する。
本発明のシンクライアント用サーバシステムＳは、図１に示す第１実施例と同様に、複数のサービスセンタ側サーバＳＶＡ，ＳＶＢ，ＳＶＣと、ファイアウォールＦＷと、管理サーバＳＶと、シンクライアントＴＣとから構成され、複数のサービスセンタ側サーバＳＶＡ，ＳＶＢ，ＳＶＣがファイアウォールＦＷの内側に配置され、管理サーバＳＶ及びシンクライアントＴＣがファイアウォールＦＷの外側に配置され、複数のサービスセンタ側サーバＳＶＡ，ＳＶＢ，ＳＶＣと管理サーバＳＶとシンクライアントＴＣとをインターネットＩＮを介して接続してデータを送受するシステムである。
【００４４】
本発明のシンクライアント用サーバシステムＳは、複数のサービスセンタ側サーバＳＶＡ，ＳＶＢ，ＳＶＣが、振り分け基準となる自身の負荷情報を管理サーバＳＶに通知する手段と、シンクライアントＴＣからの入力情報がないかを管理サーバＳＶに問い合わせる手段と、管理サーバＳＶからの応答を受けた時に自己サーバをシンクライアントＴＣに接続する手段とを備えている。
【００４５】
本発明のシンクライアント用サーバシステムＳは、管理サーバＳＶが、通知された複数のサービスセンタ側サーバＳＶＡ，ＳＶＢ，ＳＶＣの負荷情報からサーバ負荷のリストを作成する手段と、作成したサーバ負荷のリストを参照して、サーバ負荷のリストからシンクライアントＴＣに接続するためのサービスセンタ側サーバを選択する手段と、選択したサービスセンタ側サーバから問い合わせが来た時、シンクライアントＴＣからの入力情報が有ることを選択したサービスセンタ側サーバに応答する手段とを備えている。
【００４６】
本発明のシンクライアント用サーバシステムＳは、シンクライアントＴＣが、管理サーバＳＶに複数のサービスセンタ側サーバＳＶＡ，ＳＶＢ，ＳＶＣのいずれかへの接続依頼と入力情報の送信を行う手段を備えている。
【００４７】
本発明のシンクライアント用サーバシステムＳは、シンクライアントＴＣとサービスセンタ側サーバとの接続が、シンクライアントＴＣから管理サーバＳＶに複数のサービスセンタ側サーバＳＶＡ，ＳＶＢ，ＳＶＣのいずれかへの接続依頼と入力情報の送信を行い、管理サーバＳＶが選択したサービスセンタ側サーバからシンクライアントＴＣにアクセスすることにより行われるようになっている。
【００４８】
本発明のサーバは、管理サーバＳＶ及びシンクライアントＴＣとインターネットＩＮを介して接続されてデータを送受する手段と、振り分け基準となる自身の負荷情報を管理サーバＳＶに通知する手段と、シンクライアントＴＣからの入力情報がないかを管理サーバＳＶに問い合わせる手段と、管理サーバＳＶからの応答を受けた時に自己サーバをシンクライアントＴＣに接続する手段とを備えている。
【００４９】
図４は、本発明の第２実施例に係るシンクライアント用サーバシステムにおけるシンクライアントからサービスセンタ側サーバを利用する場合の処理の流れを説明するフローチャート図である。
ステップＳ２００でスタートした処理は、シンクライアントからサービスセンタ側サーバを利用する場合、まず、サーバ群１０の複数のサービスセンタ側サーバＳＶＡ，ＳＶＢ，ＳＶＣからインターネットＩＮを経由して管理サーバＳＶに自身の負荷情報を定期的に通知する（ステップＳ２０１）。
【００５０】
次いで、管理サーバＳＶが通知された複数のサービスセンタ側サーバＳＶＡ，ＳＶＢ，ＳＶＣの負荷情報から負荷を判断し、負荷が小さい順に複数のサービスセンタ側サーバＳＶＡ，ＳＶＢ，ＳＶＣに番号を付与し、サーバ負荷のリストを作成し（ステップＳ２０２）、次いで、複数のサービスセンタ側サーバＳＶＡ，ＳＶＢ，ＳＶＣからインターネットＩＮを経由して管理サーバＳＶにシンクライアントＴＣからの入力情報がないかを定期的に問い合わせる（ステップＳ２０３）。
【００５１】
その後、シンクライアントＴＣから管理サーバＳＶに複数のサービスセンタ側サーバＳＶＡ，ＳＶＢ，ＳＶＣのいずれかへの接続依頼が有るかを判断する（ステップＳ２０４）。
【００５２】
ここで、シンクライアントＴＣから管理サーバＳＶに複数のサービスセンタ側サーバＳＶＡ，ＳＶＢ，ＳＶＣのいずれかへの接続依頼が有る場合は（ステップＳ２０４“有り”）、シンクライアントＴＣからインターネットＩＮを経由して管理サーバＳＶに入力情報を通知する（ステップＳ２０５）。
【００５３】
次いで、管理サーバＳＶは作成したサーバ負荷のリストを参照し（ステップＳ２０６）、次いで、管理サーバＳＶはサーバ負荷のリストから負荷が最小のサービスセンタ側サーバを選択する（ステップＳ２０７）。
【００５４】
その後、選択したサービスセンタ側サーバから管理サーバＳＶに問い合わせが来たかを判断する（ステップＳ２０８）。
【００５５】
ここで、選択したサービスセンタ側サーバから管理サーバＳＶに問い合わせが来た場合は（ステップＳ２０８“有り”）、管理サーバＳＶからインターネットＩＮを経由して選択したサービスセンタ側サーバにシンクライアントＴＣからの入力情報が有ることを応答する（ステップＳ２０９）。
【００５６】
その後、入力情報を送信されたサービスセンタ側サーバからインターネットＩＮを経由してシンクライアントＴＣに接続される（ステップＳ２１０）。
【００５７】
また、シンクライアントＴＣから管理サーバＳＶに複数のサービスセンタ側サーバＳＶＡ，ＳＶＢ，ＳＶＣのいずれかへの接続依頼が無い場合は（ステップＳ２０４“無し”）、ステップＳ２０１に戻る。
【図面の簡単な説明】
【００５８】
【図１】本発明の第１実施例及び第２実施例に係るシンクライアント用サーバシステムを示す構成図。
【図２】本発明の第１実施例に係るシンクライアント用サーバシステムの管理サーバが作成する複数のサービスセンタ側サーバのサーバ負荷のリストの一例を示す説明図。
【図３】本発明の第１実施例に係るシンクライアント用サーバシステムにおけるシンクライアントからサービスセンタ側サーバを利用する場合の処理の流れを説明するフローチャート図。
【図４】本発明の第２実施例に係るシンクライアント用サーバシステムにおけるシンクライアントからサービスセンタ側サーバを利用する場合の処理の流れを説明するフローチャート図。
【符号の説明】
【００５９】
ＳＶＡ，ＳＶＢ，ＳＶＣ  サービスセンタ側サーバ
ＦＷ  ファイアウォール
ＳＶ  管理サーバ
ＴＣ  シンクライアント
ＩＮ  インターネット（ネットワーク）
１０  サーバ群
２０  ＬＡＮ
３０  サーバ負荷リスト
Ｓ  シンクライアント用サーバシステム
【図１】
2006209609.tif 000003
【図２】
2006209609.tif 000004
【図３】
2006209609.tif 000005
【図４】
2006209609.tif 000006